(57)【要約】【課題】  一時的に無信号状態となった場合にも都度ＯＳＤが表示されないようにする。【解決手段】  無信号検出手段によりソース信号の無信号を検出する。前記ソース信号が無信号のとき、前記ソース信号が無信号であることをユーザに通知する通知手段を備えておく。制御手段は、前記ソース信号が無信号の期間が所定の期間継続したときに前記通知手段を動作させ前記通知を行わせることにより、一時的に無信号状態となった場合にも都度ＯＳＤが表示されないようにする。【選択図】      図４
2008177935.tif 000002
【特許請求の範囲】
【請求項１】
ソース信号の無信号を検出する無信号検出手段と、
前記ソース信号が無信号のとき、前記ソース信号が無信号であることをユーザに通知する通知手段と、
前記ソース信号が無信号の期間が所定の期間継続したときに前記通知手段を動作させ前記通知を行わせる制御手段とを備えたことを特徴とする表示装置。
【請求項２】
前記制御手段は、前記ソース信号が無信号の期間が所定の期間継続したときに前記通知手段を動作させ前記通知を行わせる第１のモードと、前記ソース信号が無信号の期間が所定の期間継続することなしに前記通知手段を動作させ前記通知を行わせる第２のモードとを有し、
更にユーザが前記第１のモードと第２のモードのいずれかを設定するモード設定手段とを備えたことを特徴とする請求項１記載の表示装置。
【請求項３】
前記制御手段は、前記ソース信号が無信号の期間が所定の期間継続したときに前記通知手段を動作させ前記通知を行わせる第１のモードと、前記ソース信号が無信号の期間が所定の期間継続することなしに前記通知手段を動作させ前記通知を行わせる第２のモードとを有し、
前記ソース信号を出力している機器の電源状態や再生の状態を監視する手段を有し、
前記監視結果に応じて前記第１のモードと第２のモードのいずれかを設定するモード設定手段とを備えたことを特徴とする請求項１または請求項２記載の表示装置。
【請求項４】
更に、ユーザが前記所定時間を設定するための手段を備えたことを特徴とする請求項１乃至３のいずれか１項記載の表示装置。
【請求項５】
前記通知手段は、映像信号または音声信号により前記ソース信号が無信号であることをユーザに通知することを特徴とする請求項１乃至４のいずれか１項記載の表示装置。
【発明の詳細な説明】
【技術分野】
【０００１】
この発明は、表示装置に関し、特に入力ソースの入力状況をＯＳＤ（オン・スクリーン・ディスプレイ）にて表示する機能を有する表示装置に関する。
【背景技術】
【０００２】
テレビなどの表示装置において、複数の機器を繋ぎ入力を切り替えることが出来る装置で、入力を切り替えた際に接続された機器の電源が入っていない、機器が何も接続されていないなどの場合、それを使用者に明示させるため、例えばビデオ入力１を選択しているときには、“入力１”等の表示をＯＳＤ（オン・スクリーン・ディスプレイ）にて行う機能がある。また、入力切替を行わない場合でも接続先の機器の電源を切ったなどで無信号になった場合も“入力１  無信号”等のＯＳＤが表示される。
【０００３】
以上のような、映像信号が無信号の時でも安定したオンスクリーン表示を可能とする従来のテレビジョン画面表示装置が知られている（例えば、特許文献１参照）。
【特許文献１】特開平１０−１４５６９６号公報
【発明の開示】
【発明が解決しようとする課題】
【０００４】
従来の表示装置においての表示は、無信号を検出した場合直ぐに表示される。これは無信号状態をユーザに認識させ、故障ではないことを明示的にするためには有効である。
【０００５】
しかし、接続された機器がＤＶＤなどの繰り返し再生折り返しのタイミングや、メニュー切り替えなどで一時的に無信号状態となった場合にも都度ＯＳＤが表示され目障りである。
【０００６】
このように従来の表示装置においては、一時的に無信号状態となった場合にも都度ＯＳＤが表示され目障りであるという問題があった。
この発明は、一時的に無信号状態となった場合にも都度ＯＳＤが表示されないようにすることを目的とする。
【課題を解決するための手段】
【０００７】
上記の目的を達成するために、この発明においては、ソース信号の無信号を検出する無信号検出手段と、前記ソース信号が無信号のとき、前記ソース信号が無信号であることをユーザに通知する通知手段と、前記ソース信号が無信号の期間が所定の期間継続したときに前記通知手段を動作させ前記通知を行わせる制御手段とを備えたことを特徴とする表示装置を提供する。
【０００８】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、一時的に無信号状態となった場合にも都度ＯＳＤが表示されないようにすることができる。
【発明を実施するための最良の形態】
【００１０】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１１】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１２】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１３】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１４】
また、このデジタルテレビジョン放送受信装置１１１は、第１のＨＤＭＩ端子１２１、第２のＨＤＭＩ端子１２２及びアナログ映像入力端子１２３を備えている。
この第１のＨＤＭＩ端子１２１には、ＤＶＤプレーヤ１２５がＨＤＭＩケーブルにより接続されている。
第２のＨＤＭＩ端子１２２には、ＤＶＤレコーダ１２６がＨＤＭＩケーブルにより接続されている。
アナログビデオ入力端子１２３には、ＶＴＲ１２７からのアナログビデオ信号が入力されている。
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００１５】
チューナ２４５ａは、制御部２６１からの制御信号により所望のチャンネルの放送信号を選局し、この選局された放送信号をＰＳＫ（Phase Shift Keying）復調器２４５ｂに出力する。
【００１６】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００１７】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００１８】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００１９】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２０】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００２１】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００２２】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００２３】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００２４】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００２５】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００２６】
また、字幕放送による字幕を表示するとき、グラフィック処理部２５４は、制御部２６１からの制御による字幕情報に基づき、映像信号上に字幕情報を重畳する処理を行う。
【００２７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００２８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００２９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００３０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００３２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００３３】
また、上記制御部２６１は、ＨＤＭＩ＿Ｉ／Ｆ２６９を介して第１のＨＤＭＩ入力端子１２１に接続されている。これにより、制御部２６１は、第１のＨＤＭＩ入力端子１２１に接続されたＤＶＤプレーヤ１２５と、ＨＤＭＩ＿Ｉ／Ｆ２６９を介して情報伝送することができる。
【００３４】
さらに、上記制御部２６１は、ＨＤＭＩ＿Ｉ／Ｆ２７０を介して第２のＨＤＭＩ入力端子１２２に接続されている。これにより、制御部２６１は、第２のＨＤＭＩ入力端子１２２に接続されたＤＶＤレコーダ１２６と、ＨＤＭＩ＿Ｉ／Ｆ２７０を介して情報伝送することができる。
【００３５】
また、上記制御部２６１は、アナログビデオＩ／Ｆ２７１を介してアナログビデオ入力端子１２３に接続されている。これにより、制御部２６１は、アナログビデオ入力端子１２３に接続されたＶＴＲ１２７と、アナログビデオＩ／Ｆ２７１を介して情報伝送することができる。
【００３６】
次に、デジタルテレビジョン放送受信装置１１１が無信号を検出した際の動作をどのように設定するかについて説明する。
図３に示すＧＵＩ画面を映像表示器１１４に表示する。このＧＵＩ画面に対するユーザの操作方法については従来種々知られているＧＵＩインタフェースの技術を用いることにより実現することができる。
【００３７】
このＧＵＩ画面に対して設定ボタン３０１を押下することにより、このＧＵＩ画面で設定された設定内容が不揮発性メモリ２６１ｃに記憶される。例えば、図３の例では「遅延する」が選択されているので遅延表示するよう設定され、更にこの遅延する秒数は３秒に設定される。なお、ここではユーザが秒数を設定するようにしたが、この一定の時間は予め固定で５秒等と固定されていても良い。
【００３８】
この実施形態では、遅延を持たせるか、持たせないか、また遅延量をユーザー設定により変更できる。
次に、デジタルテレビジョン放送受信装置１１１が無信号を検出した際の制御部２６１の動作について図４を用いて説明する。なお、図４において、はじめにデジタルテレビジョン放送受信装置１１１は、第１のＨＤＭＩ入力端子１２１を入力ソースとして選択しており、ＤＶＤプレーヤ１２５からの映像信号を映像表示器１１４で表示していたとする。
【００３９】
（ステップＳ４０１）制御部２６１は、不揮発性メモリ２６１ｃに記憶される設定情報を読出す。
（ステップＳ４０２）制御部２６１は、入力ソースとして選択している第１のＨＤＭＩ入力端子１２１の無信号状態を検出する。
（ステップＳ４０３）制御部２６１は、ステップＳ４０１で読出した設定情報から、遅延設定がされているか否かを判断する。遅延設定がされていればステップＳ４０４へ進み、いなければステップＳ４０６へ進み、直ぐに図５に示すように“第１のＨＤＭＩ入力端子  無信号”等のＯＳＤ表示を行う。
【００４０】
なお、先の図３の例で示す設定内容の場合には、遅延設定がされているのでステップＳ４０４へ進む。
（ステップＳ４０４）制御部２６１は、一定のディレイ時間、無信号であることを検出する。この一定の時間は予め固定で５秒等と固定されていても良いし、図３で示したようにユーザが任意の時間に設定できるようになっていても良い。
【００４１】
（ステップＳ４０５）制御部２６１は、一定のディレイ時間、例えば図３で設定された例では３秒無信号であることを検出すると、ステップＳ４０６へ移動し図５に示すように“第１のＨＤＭＩ入力端子  無信号”等のＯＳＤ表示を行う。このように一定の時間、無信号が続いた場合にＯＳＤの表示を行うことにより、本来の無信号ではなく、瞬間的な信号途切れに反応してＯＳＤ表示を行わなくなる。
【００４２】
（ステップＳ４０６）制御部２６１は、図５に示すように“第１のＨＤＭＩ入力端子  無信号”等のように入力ソースが無信号入力である旨のＯＳＤ表示を行う。
なお、図５のように文字で無信号入力である旨表示するのに代え、単にブルーバックの画面とすることによって、無信号入力であることをユーザへ伝えるようにしても良い。
【００４３】
以上説明したとおり、本発明によれば、一時的に無信号状態となった場合にも都度ＯＳＤが表示されないようにすることができる。
更に上記実施形態では、遅延を持たせるか、持たせないかをユーザが設定／更には遅延を持たせる場合の遅延量をユーザが設定できることにより、より細かな通知の制御が可能となる。また、時間を可変とすることで、本来の無信号の際にユーザにその旨を知らせる本来の機能も失うことが無い。
【００４４】
瞬間的な信号戸切れなどに反応してＯＳＤ表示が頻繁に表示されることがなくなる。
接続機器の動作状況に応じて無信号時のＯＳＤ表示のタイミングを制御することによって、動的に最適なＯＳＤ表示タイミングを得ることが出来る。
無信号を検出した場合にラストチャンネルなどに戻す機能を持った物があるが、瞬間的な信号途切れに反応しなくなる。
消費電力削減やモニターの焼きつき防止の為無信号を検出した場合に、バックライトを暗くする、輝度を下げるなどの機能を持ったものがあるが、瞬間的な信号途切れに反応しなくなる。
【００４５】
（変形例）
ＨＤＭＩなど接続された機器の電源状態や、再生状態が取得できる場合はこの方法を加味して、例えば、接続先の機器の電源が入っている場合は本機能を有効にするなどの自動設定するようにしてもよい。例えば制御部２６１動作としては、図６に示すように、図４で説明したステップＳ４０３とステップＳ４０４との間に、新たにステップＳ６０１を挿入し、このステップＳ６０１にてＨＤＭＩ−ＣＥＣコマンドにてソース機器の電源投入状態を検出し、電源が入っている場合にのみステップＳ４０４以降の機能を動作させるようにすればよい。また、コンテンツの再生状態からコンテンツの再生停止への再生状態の切り替わり目を検出し、この切り替わり目にのみステップＳ４０４以降の機能を動作させるようにすればよい。
【００４６】
また、入力ソースとしてはＨＤＭＩ入力およびアナログ映像信号入力に限らず、チューナからの入力であってもよい。
また、入力ソースが無信号である旨のユーザへの通知方法は必ずしも文字の表示には限定されるものではない。例えば特定の画像を表示したり、音声信号を再生することにより通知しても良い。
【００４７】
このように変形しても、本発明によれば、一時的に無信号状態となった場合にも都度ＯＳＤが表示されないようにすることができる。更に、ソース機器の電源投入状態に応じて、一時的に無信号状態となった場合にも都度ＯＳＤが表示されないようにする機能をオン／オフすることができる。
【００４８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００４９】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】映像表示器１１４に表示するデジタルテレビジョン放送受信装置の設定ＧＵＩ画面を示す図。
【図４】デジタルテレビジョン放送受信装置１１１が無信号を検出した際の制御部２６１の動作を示すフローチャート。
【図５】映像表示器１１４に表示する画面の例を示す図。
【図６】デジタルテレビジョン放送受信装置１１１が無信号を検出した際の制御部２６１の動作を示すフローチャート。
【符号の説明】
【００５０】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＨＤＭＩ入力端子、１２２…第２の第１のＨＤＭＩ入力端子、１２３…アナログビデオ入力端子、１２５…ＤＶＤプレーヤ、１２６…ＤＶＤレコーダ、１２７…ＶＴＲ。
【図１】
2008177935.tif 000003
【図２】
2008177935.tif 000004
【図３】
2008177935.tif 000005
【図４】
2008177935.tif 000006
【図５】
2008177935.tif 000007
【図６】
2008177935.tif 000008